(57)【特許請求の範囲】
【請求項１】
パネル部材を連結部材を介在させて連設し、天井面と床面とで固定させて連続した壁を形成させるようにした連設パネル壁構造であって、
上記連結部材は、上下にわたる中空部を有した構造とされ、両側端部にパネル部材を連結させる嵌合連結部を形成するとともに、前面、後面の少なくとも一方には上記中空部に通じる複数の掛止穴を形成した支柱構造となっており、
上記連結部材の上記複数の掛止穴を設けた面の下端に、上記複数の掛止穴と連通する下端開口が形成されており、電化製品のコードを上記掛止穴に挿入し、上記中空部を通し、上記下端開口より取り出せるようにしたことを特徴とする連設パネル壁構造。
【請求項２】
請求項１において、
上記連結部材は、連設すべきパネル部材のそれぞれの側端部を、突合せ方向に嵌入させる連結縦溝を嵌合連結部として有している連設パネル壁構造。
【請求項３】
請求項１または２に記載の連結部材を少なくとも一組用いて、３枚以上のパネル部材を連結し、上記連結部材に棚板を架け渡すとともに、上記パネル部材を天井面と床面とに固定した構造としていることを特徴とする自立型の連設仕切り壁。
【発明の詳細な説明】
【技術分野】
【０００１】
本発明は、連結部材を用いてパネル部材を連設して天井面と床面とで固定させた連設パネル壁構造および自立型の連設仕切り壁に関するものである。
【背景技術】
【０００２】
この種の連設パネル壁の簡易な構造として、例えば特許文献１には、横断面形状がＨ形の連結部材によって、複数のパネル部材を連設させるようにしたパネル連結構造が開示されている。
【０００３】
この文献に記載されている連結部材は、ウェブ片とフランジ片とによって両側部にパネル挿入部が形成され、そのパネル挿入部にパネル部材を挿入して、隣り合うパネルを連結できるようにしている。
【特許文献１】特開２００５−４２４２７号公報
【発明の開示】
【発明が解決しようとする課題】
【０００４】
ところで、事務所や住宅などでは、壁や柱には、時計や連絡ボード、額縁、日用品などが、フックなどを使用して吊り下げ、掛け止めされることが一般的に行われており、特に近年では、壁掛けテレビや壁掛け棚などの重量のあるものも壁付けされるようになっている。
【０００５】
このように、種々の物を壁や柱に取り付ける場合、従来では、住居者が必要に応じて、所望の箇所に、壁や柱にネジや釘、その他掛止部材で対応することが一般的である。
【０００６】
しかしながら、上記のような壁掛けテレビや壁掛け棚などを設ける場合には、壁構造を十分に調べたうえで、それらの重量に十分に耐え得るように固定しなければならないため、住居者が簡易には取り付けることはできない。
【０００７】
本発明は、このような事情を考慮して提案されたもので、住居者などが壁掛けテレビや壁掛け棚などを簡易に壁付けできる連設パネル壁構造および自立型の連設仕切り壁を提供することにある。
【０００８】
なお、上記特許文献には、上述するように、簡易なパネル連結構造が記載されているが、物を壁に掛止させる構造については、特に提案されていない。
【課題を解決するための手段】
【０００９】
上記目的を達成するために、請求項１に記載の連設パネル壁構造は、パネル部材を連結部材を介在させて連設し、天井面と床面とで固定させて連続した壁を形成させるようにした連設パネル壁構造であって、連結部材は、上下にわたる中空部を有した構造とされ、両側端部にパネル部材を連結させる嵌合連結部を形成するとともに、前面、後面の少なくとも一方には上記中空部に通じる複数の掛止穴を形成した支柱構造となっており、連結部材の複数の掛止穴を設けた面の下端に、複数の掛止穴と連通する下端開口が形成されており、電化製品のコードを掛止穴に挿入し、中空部を通し、下端開口より取り出せるようになっている。
【００１０】
請求項２では、請求項１において、連結部材は、連設すべきパネル部材のそれぞれの側端部を突合せ方向に嵌入させる連結縦溝を嵌合連結部として有している。
【００１１】
請求項３に記載の自立型の連設仕切り壁は、請求項１または２に記載の連結部材を少なくとも一組用いて、３枚以上のパネル部材を連結し、連結部材に棚板を架け渡すとともに、パネル部材を天井面と床面とに固定した構造としている。
【００１２】
（削除）
【発明の効果】
【００１３】
請求項１に記載の連設パネル壁構造によれば、パネル部材を連設するための連結部材は、両側端部にパネル部材を連結させる嵌合連結部を形成し、かつ前後面の少なくとも一方には複数の掛止穴を形成した支柱構造となっているため、それらの掛止穴を使用して、種々の物を吊るしたり掛けたりすることができる。特に、パネル部材を挟んだ一組の連結部材の水平位置にある２つの掛止穴を使用すれば、壁掛けテレビや壁掛け棚などの重量があり所定の幅があるものでも、それらを一組の連結部材に架け渡すことで、所望の位置に容易に壁付けすることができる。
【００１４】
また、連結部材が上下にわたる中空部を有し、掛止穴がその中空部に通じた構造であるため、その中空部に配線を通すことで壁に沿う配線を隠すことができる。
【００１５】
さらに、連結部材の下端に、複数の掛止穴と連通する下端開口が形成されているため、高所に設けた電気器具の配線を低所のコンセントに接続する場合に、壁面に沿って縦に走る配線をほとんど露出させることなく、美観を損なわずに配線できる。
【００１６】
請求項２に記載の連設パネル壁構造によれば、連結部材は嵌合連結部として、連設すべきパネル部材のそれぞれの側端部を突合せ方向に嵌入させる連結縦溝を有しているため、簡易な作業で、頑丈な連設パネル壁を構築できる。
請求項３に記載の自立型の連設仕切り壁によれば、請求項１または２に記載の連結部材を少なくとも一組用いて、３枚以上のパネル部材を連結し、連結部材に棚板を架け渡すとともに、パネル部材を天井面と床面とに固定した構造としているので、パネル部材の両面に物を掛け止めすることができ、そうすることでバランスもとれる。
【発明を実施するための最良の形態】
【００１７】
以下に、本発明の実施の形態について、添付図面を参照しながら説明する。
【００１８】
図１は、本発明の連設パネル壁構造の一例を模式的に示したもので、（ａ）は正面図、（ｂ）は横断面図、（ｃ）は右側面図である。
【００１９】
本例では、３枚のパネル部材１と、２個の連結部材２とを使用して連設パネル壁１０を構成した例を示している。
【００２０】
３枚のパネル部材１は、連結部材２をパネル部材１間に介在させて連設されており、連設させた状態で、Ｌ字形の固定部材３を使用して、天井面Ｓと床面Ｆとに固定されている。
【００２１】
図例では、固定部材３によって、連設パネル壁１０の両側端に位置するパネル部材１、１の、連結部材２に連結されていない側端部１１、１１の上下端１４、１５と、各連結部材２、２の前後面２２，２３の上下端２４、２５との全１２箇所を固定させている。このように、少なくとも両側のパネル部材１と全連結部材２について固定すれば、中央に位置する（連結部材２間に挟まれた）パネル部材１を固定しなくとも、連設パネル壁１０を強固に固定できる。
【００２２】
連結部材２は、その両側端（左右端）部２１、２１にパネル部材１を連結させるための嵌合連結部２ａを形成した、中空の支柱構造となっており、前後面２２，２３のそれぞれに形成された複数の掛止穴２ｂと、前後面２２、２３のそれぞれの床面Ｆに接する下端に切欠き形成された下端開口２ｃとを有している。この下端開口２ｃは、中空部２ｄ（図２参照）を介して複数の掛止穴２ｂと連通している。なお、中空部２ｄおよび連結部材２の他の詳細構造については、図２にて詳述する。
【００２３】
図２は、連結部材２の横断面図である。
【００２４】
連結部材２は、アルミなどの金属または硬質樹脂などより製される中空の支柱であり、両側端部２１、２１には、２枚のパネル部材１の隣り合わせるべきそれぞれの側端部１１、１１を、突合せ方向に嵌入させる嵌合連結部２ａ、２ａを備えている。この嵌合連結部２ａは、連結部材２の腹部片２ａａと、前後面２２、２３から側方側に突出した２つのフランジ片２ａｂ、２ａｂとより形成される、横断面視コ字形の嵌合凹所であり、上下にわたる、パネル部材１の連結用の縦溝として形成されている。
【００２５】
また中空部２ｄは、左右の腹部片２ａａ、２ａａと、前後面２２、２３とによって囲まれた上下にわたる空間であり、適所に開設された掛止穴２ｂおよび下端開口２ｃを連通させている。このように、連結部材２は中空構造であるため、現場で切断して高さ調整が容易に行える。
【００２６】
なお本例では、連結部材２として中空部２ｄを有したものを示しているが、中実構造のものでもよい。その場合には、掛止穴は、後述するフック部材６（図５参照）を掛け止めできるような凹部が形成されていればよい。
【００２７】
図３は、同連設パネル壁１０の使用例を示す模式図で、（ａ）は正面図、（ｂ）は横断面図である。
【００２８】
本例は、図１と同様、３枚のパネル部材１と２個の連結部材２とを使用した連設パネル壁１０で、固定部材３を使用して天井面Ｓと床面Ｆとに固定されており、左右１組の連結部材２の前面側の水平位置にある１組の掛止穴２ｂに、壁掛けテレビ４を掛け止めしている。なお、壁掛けテレビ４の裏面の掛止穴２ｂに対応する位置には、フック部材６（図３では不図示）が固着されている。このフック部材６の掛止構造については、図５にて後述する。
【００２９】
このように、３枚以上のパネル部材１を、２個以上の連結部材２を使用して連設したものでは、１組の連結部材２の対応する左右２箇所の掛止穴２ｂを使用できるので、壁掛けテレビ４など重量があり所定の幅を有したものでも、安定的に壁付けできる。壁掛けテレビ４の荷重は連結部材２にかかるが、２つに分散されて床に逃げるため、安定感がある。
【００３０】
また、壁掛けテレビ４の配線は、先端にプラグ４ｂを接続したコード４ａを、左右いずれか一方の連結部材２の掛止穴２ｂに挿入し、中空部２ｄを通し、下端開口２ｃより取り出すように配線しているため、壁に沿って縦に走る配線を連結部材２で隠すことができ、配線によって室内の美観が損なわれることを防止できる。
【００３１】
このような中空構造は、壁掛けテレビ４に限らず、他の電化製品の配線にも使用でき、例えばエアコンなどの高所に設置するものでは、天井面近くにコンセントを特設しなくても、コードを連結部材２の中空部２ｄに隠して、床面に近い位置のコンセントに接続できる。また、中空部２ｄには、連結部材２に掛止しない電化製品の配線を通すこともできる。
【００３２】
また、中空構造であるため、連結部材２の前面２２、後面２３のいずれにも、掛止穴２ｂと下端開口２ｃを設けたものでは、壁掛けした面の掛止穴２ｂから挿入したコードを、反対側の面の下端開口２ｃより取り出して、反対側のコンセントに接続することができる。特に連設パネル壁１０を間仕切りとして利用する場合、コンセントの位置によらず仕切ることができるので、利便性が高い。
【００３３】
さらに、連結部材２には下端開口２ｃが設けられているため、中空部２ｄの床面に溜まったホコリやゴミを取り出しやすい。
【００３４】
図４は、同連設パネル壁１０の他の使用例を示す模式図で、（ａ）は正面図、（ｂ）は横断面図である。
【００３５】
本例も図１と同様、３枚のパネル部材１と２個の連結部材２とを使用した連設パネル壁１０で、固定部材３を使用して天井面Ｓと床面Ｆとに固定されており、左右１組の連結部材２の前面の水平位置にある１組（２つ）の掛止穴２ｂを３段使用して、３枚の壁掛け棚５を掛け止めしている。なお、壁掛け棚５の壁側の側端５ａの掛止穴２ｂに対応する位置には、上記壁掛けテレビ４の例と同様のフック部材６（図４では不図示）が固着されている。
【００３６】
このように、３枚以上のパネル部材１を、２個以上の連結部材２を使用して連設したものでは、１組の連結部材２の対応する左右２箇所の掛止穴２ｂを使用できるので、複数段の壁掛け棚５を架け渡して安定的に壁付けできる。例えば、台所用品棚、飾り棚、書棚などを簡易に設けることができる。なお、３個以上の連結部材２を使用する場合では、１枚の壁掛け棚５を、それら連結部材２の水平位置にある３箇所以上の掛止穴２ｂを使用して架け渡せば、さらに安定感が得られる。
【００３７】
図５は、金属製のフック部材６の掛止構造の３例を示す斜視図で、（ａ）には図３，４で示した連結部材２に対応したものを示しており、（ｂ）、（ｃ）には他例の斜視図を示している。なお、図５（ａ）、（ｂ）には、フック部材６の掛止部の部分斜視図を示している。
【００３８】
図５（ａ）に示したフック部材６の掛止部は、連結部材２の掛止穴２ｂに掛止させる鉤片６ａと、連結部材２の掛止穴２ｂより下方の垂直面より支持される被支持部６ｂとを有した構造とされる。
【００３９】
壁掛けテレビ４などに設けた１対のフック部材６の鉤片６ａを、１組の連結部材２の掛止穴２ｂに引っ掛けることで、壁掛けテレビ４などを安定的に壁付けすることができる。
【００４０】
また図５（ｂ）のフック部材６は、縦に並ぶ３つの鉤片６ａを有しており、間隔を詰めて掛止穴を形成した連結部材に使用できる。３つの鉤片６ａで掛け止めする構造であるため、さらに強固に壁付けできる。
【００４１】
図５（ｃ）のフック部材６は、図５（ａ）と同様の形状の鉤片６ａと、被支持部６ｂとを備え、さらに本体片６ｃの左右側に水平に突出させた棚固着片６ｄを有した構造となっている。なお、図中の６ｅは棚を固着させるためのネジ孔である。
【００４２】
このものでは、棚の左右端を、左右１組のフック部材６の対向する棚固着片６ｄに架け渡し、ネジ止めすることで、連結部材２間にパネル部材１の幅に応じた壁掛け棚を設けることができる。また、このフック部材６を使用すれば、使用するパネル部材１の枚数に応じて、同一形状、同一サイズの複数の壁掛け棚を左右方向に隙間なく連設することができる。なお、壁掛け棚のフック部材６の載置片６ｄへの固着は、かしめ接合によるものでもよい。
【００４３】
図６は、本発明の連設パネル壁構造を採用した自立型の連設仕切り壁による間仕切り例を示す間取図である。
【００４４】
図例は、室内に仕切りのないリビングダイニングを、連設パネル壁１０によって、一部に通路Ｐを設けるようにして、ダイニングキッチンＤと、リビングＬとに仕切った例を示している。連設パネル壁１０は、インナー階段ＩＳの室内側の側壁Ｗに直交するように固定され、ダイニングキッチンＤ側の連設パネル壁面には壁掛け棚５が取り付けられ、リビングＬ側の連設パネル壁面には壁掛けテレビ４が取り付けられている。
【００４５】
このように、本発明の連設パネル壁構造は簡易な室内リフォームなどで使用でき、完成した後は、住居者が壁掛けテレビ４や壁掛け棚５などを、所望の位置、高さに壁付けすることができる。また図例のように、両面に物を掛け止めすれば、バランスもとれる。
【００４６】
以上の例では、連結部材２を１組（２個）使用して３枚のパネル部材１を連設させた連設パネル壁１０を示しているが、３個以上使用してもよく、また１個の連結部材２を使用して、２枚のパネル部材１を連設させたものでもよい。１個の連結部材２を使用したものでも、縦に並ぶ掛止穴２ｂを使用して日用小物や額などを掛けたり吊り下げたりできる。
【図面の簡単な説明】
【００４７】
【図１】本発明の連設パネル壁構造の一例を示した模式図で、（ａ）は正面図、（ｂ）は横断面図、（ｃ）は右側面図である。
【図２】同連設パネル壁構造で使用する連結部材の横断面図である。
【図３】同連設パネル壁構造の使用例を示した模式図で、（ａ）は正面図、（ｂ）は横断面図である。
【図４】同連設パネル壁構造の他の使用例を示した模式図で、（ａ）は正面図、（ｂ）は横断面図である。
【図５】フック部材の掛止構造の一例を示した部分斜視図である。
【図６】同連設パネル壁構造を採用した自立型の連設仕切り壁による間仕切り例を示す間取図である。
【符号の説明】
【００４８】
１０      連設パネル壁、自立型の連設仕切り壁
１      パネル部材
１１      側端（左右端）部
１２      前面
１３      後面
１４      上端
１５      下端
２      連結部材
２１      側端部
２２      前面
２３      後面
２４      上端
２５      下端
２ａ      嵌合連結部（連結縦溝）
２ａａ      腹部片
２ａｂ      フランジ片
２ｂ      掛止穴
２ｃ      下端開口
２ｄ      中空部
３      固定部材
４      壁掛けテレビ
５      壁掛け棚
６      フック部材
Ｓ      天井面
Ｆ      床面
【図１】
0004940029.tif 000002
【図２】
0004940029.tif 000003
【図３】
0004940029.tif 000004
【図４】
0004940029.tif 000005
【図５】
0004940029.tif 000006
【図６】
0004940029.tif 000007